(57)【要約】      （修正有）【課題】ペンチやドライバなどの工具やその他の道具を障害のないようにしかも作業の効率性を損ねないように収容することのできる身体装着形の道具保持具を提供する。【解決手段】布状生地で撓曲可能に形成され使用者の胴部の前部から一側の脇部に渡って被着される基礎支持面体１を備え、該基礎支持面体１は外表面の脇部対応箇所に道具を保持させることのできる複数の収容部１２を列設された道具保持部３を形成され、収容部１２のそれぞれが、道具を傾斜姿勢で保持する空間を有し、基礎支持面体１の全体を使用者の胴部に近接させた状態に位置保持する身体係着部材２を備えている。【選択図】図２
0003159547.tif 000002
【実用新案登録請求の範囲】
【請求項１】
使用者胴部の前側において装着される道具保持具において、
使用者の一方の肩の位置からその下方の一方の脇の位置に至り、腹の位置を横切って他方の脇の位置に至り、前記一方の肩の位置に戻る外周縁で囲まれ、布状生地で撓曲可能に形成された基礎支持面体と、
使用者の一方の脇の位置と他方の脇の位置に対応する前記基礎支持面体の部位間、及び使用者の肩の位置と他方の脇の位置に対応する前記基礎支持面体の部位間を夫々、使用者の背を通して結び、使用者胴部の前側に前記基礎支持面体を当接させる紐状部材と、
収容された道具を使用者の一方の肩の位置からこれと反対側の一方の脇の位置に向かう斜め方向に保持し、斜め上向きに道具出し入れ口が設けられた複数の道具収容部であって、かつ夫々の道具収容部は互いが重ならないように使用者の脇の位置からその胴前側の位置に向かって前記基礎支持面体の表面上に列設されていることを特徴とする身体装着形の道具保持具。
【請求項２】
前記収容部の道具出し入れ口の周辺を覆う覆い部材が前記基礎支持面体と同体状に設けられていることを特徴とする請求項１記載の身体装着形の道具保持具。
【請求項３】
前記収容部が前記基礎支持面体とこれに重ね合わせ状に止着された布状部材とで形成された筒状部を具備し、
該筒状部は内方が道具を収容するための空間とされていて該道具の差し込み方向の前側へ向け漸次に降下され且つ縮径されていることを特徴とする請求項１又は２記載の身体装着形の道具保持具。
【請求項４】
前記紐状部材は、使用者の肩の位置に対応する前記基礎支持面体の部位から延出され、使用者の他方の脇の位置に対応する前記基礎支持面体の部位に形成された環状部を通り、脱着自在な結合部により使用者の一方の脇の位置に対応する前記基礎支持面体の部位に結合されることを特徴とする請求項１、２又は３記載の身体装着形の道具保持具。
【考案の詳細な説明】
【技術分野】
【０００１】
本考案は、ペンチやドライバなどの複数の道具を使用者の身体から大きく張り出さない状態で保持することのできる身体装着形の道具保持具に関する。
【背景技術】
【０００２】
種々の機器などの保守、点検、修理などを行う際、ペンチ、ドライバ、ニッパ、モンキーレンチ、プライアなど複数の工具を身に付けて移動用として、例えば特許文献１及び２に開示されているような工具保持具がある。
【０００３】
これらの文献に開示背される工具保持具は、ペンチやドライバなどの工具のそれぞれを上下向きとして単独状に収容し保持することのできる収容部を備え、これら収容部が上部を使用者の身体に係着されたベルトなどに支持され下部を自由状態とされる構成となっている。
【０００４】
この種の工具保持具においては、作業者による使用時に、各収容部の下部がその上部を支点して揺れやすい。特に、各収容部内に収容されるドライバなどの工具が長いときは該収容部の下方へ道具の先部が長く突出した状態となって、揺れにより狭隘な空間での作業では工具が周囲の部品に当たってこれを傷付けたり損壊させる虞もある。
【０００５】
このような事態に対処することのできる工具保持具としては、例えば特許文献３及び４などに開示されたものがある。これらの工具保持具は、複数の工具のそれぞれを上下向きとして単独状に収容され該収容状態を保持することのできる収容部を使用者の胴部の前部に左右方向の列状に位置させ、これら収容部の全体を使用者の胴部の前面に近接させて保持させるようになっている。
【先行技術文献】
【特許文献】
【０００６】
【特許文献１】実開昭６１−２７６８６号公報
【特許文献２】特開平１１−１０４９７８号公報
【特許文献３】実開昭５１−１３０２０９号公報
【特許文献４】実開昭５２−１１７０２２号公報
【考案の概要】
【考案が解決しようとする課題】
【０００７】
上記した特許文献３及び４に開示された工具保持具においては、その使用時に、複数の工具のそれぞれが使用者の胴部の真正面である前部（胸部から腹部に至る範囲）の各収納部に収納されて保持されるのであり、各道具は収納部内で上下向き姿勢とされる。
【０００８】
また作業者は工具を使用して種々の作業を行うとき、一般には、作業が最も行い易い状態となるように、自身の体を移動させるか、或いは作業対象物を移動させるなどして、作業対象物が自身の胸部から腹部に至る範囲の真正面で手の届く範囲に位置する状態として、必要な作業を実行する。特に、室内作業では、機材の密集した狭い場所に入り込んで作業を行なうこともある。
【０００９】
このような事情から、特許文献３及び４に開示された工具保持具を使用して作業を行うときは、次のような問題が生じる。
【００１０】
即ち、狭隘な空間での作業では胴部の前部の収容部に収容されている工具が作業対象物又はこれの近傍に存在している他の機材の周囲の部品に接触して、既述した従来の事態と同様に、これを傷付けたり損壊させる虞がある。
【００１１】
また、工具収容部に比較的長いドライバなどの工具が収容されていると、該工具保持具の使用者が身をかがめたときなどに、その工具が上下向きであるために、該工具の上下端部が使用者の胸部や腹部に突き当たるようになって身体の動きを拘束されるようなり、狭隘な場所などでの作業において弊害が生じるようになる。
【００１２】
本考案は、上記のような問題点を解消させることができるものでペンチやドライバなどの工具やその他の道具を障害のないようにしかも作業の効率性を損ねないように収容することのできる身体装着形の道具保持具を提供することを目的とする。
【課題を解決するための手段】
【００１３】
上記目的を達成するため、本考案に係る身体装着形の道具保持具は、使用者胴部の前側において装着される道具保持具において、使用者の一方の肩の位置からその下方の一方の脇の位置に至り、腹の位置を横切って他方の脇の位置に至り、前記一方の肩の位置に戻る外周縁で囲まれ、布状生地で撓曲可能に形成された基礎支持面体と、使用者の一方の脇の位置と他方の脇の位置に対応する前記基礎支持面体の部位間、及び使用者の肩の位置と他方の脇の位置に対応する前記基礎支持面体の部位間を夫々、使用者の背を通して結び、使用者胴部の前側に前記基礎支持面体を当接させる紐状部材と、収容された道具を使用者の一方の肩の位置からこれと反対側の一方の脇の位置に向かう斜め方向に保持し、斜め上向きに道具出し入れ口が設けられた複数の道具収容部であって、かつ夫々の道具収容部は互いが重ならないように使用者の脇の位置からその胴前側の位置に向かって前記基礎支持面体の表面上に列設されていることを特徴とする。
【考案の効果】
【００１４】
本考案によれば、使用者が身に付けて作業を行うとき、道具の収容された状態の収容部が過度に横揺れすることがなくなって、従来のような横揺れに伴う弊害を防止することができるのであり、また収容部内に収容された状態の道具の存在が使用者の胴部の真正面で行われる作業を妨げず、また、使用者の前屈み動作を可能とする。
【００１５】
これをさらに具体的に説明すると、全体が使用者の胴部に近接された状態でしかも肩部で支持される基礎支持面体で、それぞれの収容部がこれの全体の位置を安定的に保持されるようになるため、収容部に収容された状態の道具が過度に横揺れすることのないものとなる。したがって、狭隘な空間での作業や移動に際して、収容されている工具が作業対象物等に接触することが抑制され、作業の円滑な遂行を妨げることがない。収容部に収容された状態の道具が活電部に接触することに起因した電気部品の故障や使用者の感電といった事故も効果的に防止されるものとなる。
【００１６】
また各収容部は基礎支持面体の外表面の脇部対応箇所に上下方向に沿って列設されてあって、各々の対応する道具を使用者の胴部の中央寄り側又は前寄り側から一側の脇部の外寄り側或いは後寄り側の下方へ向かうような傾斜姿勢で差し込まれ、このように差し込まれた道具を該傾斜姿勢で保持するものとなる。したがって、各収容部に収容された各道具はこれら収容部の存在する一側の脇部に安定的に位置した状態になり、またこれら道具の横外側に使用者の一方の腕が存在する状態となり、この腕の存在が各収容部内に収容された状態の道具と、これの周辺に存在している他物との接触や衝突を効果的に阻止するものとなる。
【００１７】
そして、各収容部が基礎支持面体の外表面の脇部対応箇所に上下方向に沿って列設されているため、各収容部に収容された状態の道具の存在が作業対象物を使用者の胴部の真正面に位置させて行う効率的な作業に対し障害となる事態は回避されるのである。
【００１８】
また各収容部が各々の対応する道具を使用者の胴部の中央寄り側又は前寄り側から一側の脇部の外寄り側の或いは後寄り側の下方へ向かうような傾斜姿勢で差し込まれ、このように差し込まれた道具を該傾斜姿勢で保持するものとなっていることが、次のような効用を奏する。即ち、たとえ道具が比較的長いドライバのようなものであっても、これの収容される収容部が上下方向に対して傾斜した姿勢でこれを保持するものとなる。これにより比較的長い道具であってもこれの収容状態でのその上下方向長さは短縮されるのであり、この結果、収容部内の道具が比較的長くても、これの両端部が使用者の胸部や腹部に突き当たって使用者の前屈み動作を作業の障害となるほどに妨げるという事態の発生は抑制される。
【図面の簡単な説明】
【００１９】
【図１】本考案に係る身体装着形の道具保持具を示す正面図である。
【図２】上記道具保持具の斜視図である。
【図３】上記道具保持具の蓋部を開いた状態を示す斜視図である。
【図４】上記道具保持具の使用状態を示す説明図である。
【図５】上記道具保持具に対し道具を出し入れする様子を示す説明図である。
【考案を実施するための形態】
【００２０】
以下、図面を参照して本考案の実施例を説明する。
【実施例１】
【００２１】
本実施例に係る身体装着形の道具保持具１００は、図１〜図３に示すように、基礎支持面体１と、使用者の身体に係着するための身体係着部材２を備えている。そして、基礎支持面体１の上面上において、下縁部１ａ寄りの比較的広い範囲に道具保持部３及び覆い部材４が形成され、さらに覆い部材４よりも上縁部１ｂ側の範囲に比較的小さなものを収容するための袋部５が形成されている。
【００２２】
基礎支持面体１は、布状生地で撓曲可能に形成され基礎支持体１の外周縁は、使用者の一方の肩の位置からその下方の一方の脇の位置に至り、腹の位置を横切って他方の脇の位置に至り、前記一方の肩の位置に戻ることにより、使用者の胴部の前部から一側の脇部に渡って被着することのできる大きさ及び形状である。
【００２３】
基礎支持体１は、本実施例では正面視の全体形状を、基本となる長方形の１つの隅角部ａ０を三角状に切り除いた形である部分長方形状としており、また外周縁を除いた全面が二層構造となっており、上層部が例えば厚さ０．５ｍｍ以上の帆布（綿や麻を材料としたもの）で形成され、下層部が通常厚さ（単位面積当たり重量が例えば１３オンス〜１４オンス）のデニム（綿を材料としたもの）で形成されている。道具保持具１００の大部分が非帯電性や非導電性に優れた帆布やデニムで形成されているので、使用者の感電を回避する上で寄与する。
【００２４】
この基礎支持面体１を正面から見た状態において、前記した基本となる長方形における切除された１つの隅角部ａ０の側ではない側である一方の長辺部に対応した一側の側縁部１ｃのうち前記１つの隅角部ａ０の存在する側の端部が第１端部ａ１であり、該一側の側縁部１ｃのうち第１端部ａ１に対し逆の側に位置した端部が第２端部ａ２であり、これら第１端部ａ１及び第２端部ａ２の存在しない側である他側の側縁部１ｄのうち前記１つの隅角部ａ０の存在する側の端部が第３端部ａ３である。
【００２５】
身体係着部材２は、基礎支持面体１の全体を使用者の胴部に近接させ、また基礎支持面体１の自重及びこれに作用する重量を使用者の肩部に支持させるためのものである。この身体係着部材２は紐状の部材６、環状部７及び結合部８を備えている。
【００２６】
ここに、紐状部材６は、基礎支持面体１の上縁部１ｂで使用者の前記一側の脇部に対応する部位である第１端部ａ１から延出された帯及び又は紐からなっている。環状部７は基礎支持面体１の下縁部１ａの裏面側で使用者の前記一側の脇部又はこれの下部に対応する部位である第２端部ａ２に形成されていて紐状部材６の長さ途中を挿通されるものである。そして結合部８は、基礎支持面体１のうち前記１つの隅角部ａ０の下側に位置し使用者の前記一側の脇部の反対側の脇部の下部に対応する部位である第３端部ａ３に形成されている。
【００２７】
結合部８と紐状部材６とは簡易に結合できる構造とするのがよいのであって、このため本実施例では、紐状部材６の先部の長さ方向の途中には該長さ方向上での位置調整可能に第１掛止部材９が装着され、また結合部８として、第３端部ａ３から延出された比較的短い帯又は紐からなる紐状部１０と、これの先端に止着され第１掛止部材９に対し脱着自在の雌雄の関係となる第２掛止部材１１とが設けられている。そして図３に示すように第１掛止部材９は雄側としての突出状の爪部９ａを有し、第２掛止部材１１は雌側としての係止孔１１ａを有している。これら第１掛止部材９と第２掛止部材１１が掛け止められることにより、紐状部材６が結合部８に結合された状態となる。
【００２８】
道具保持部３は図３に示すようにペンチｂ１やドライバｂ２などの道具ｂを個々に保持することのできる複数の収容部１２を下縁部１ａに沿って列設されている。収容部１２は、収容された道具を使用者の一方の肩の位置からこれと反対側の一方の脇の位置に向かう斜め方向ｃ３に保持し、斜め上向きに道具出し入れ口ｅ１が設けられている。また、夫々の道具収容部１２は互いが重ならないように使用者の脇の位置からその胴前側の位置に向かう方向ｃ２に列設されている。
【００２９】
各収容部１２の形成に際しては、基礎支持面部１の上面上に長方形状の帆布である布状部材１３を重ねた状態に配置し、該布状部材１３の各収容部１２箇所となる部分を弛ませておき、この後、各収容部１２を取り囲む端縁ｄ１となる線の位置で布状部材１３を基礎支持面体１に縫い合わせる。これにより、収容部１２の列設方向で隣接状に対向した一対からなる端縁ｄ１と端縁ｄ１の間に１つの収容部１２が形成される。
【００３０】
こうして形成された各収容部１２は外周面部を基礎支持面体１の一部と布状部材１３の一部とで形成された筒状部となっており、該筒状部の一端の開口ｅ１が道具出し入れ口となる。該筒状部の内方が道具出し入れ口ｅ１を通じて道具ｂを差し込まれる空間となっていて、道具ｂの差し込み方向に向け漸次に縮径された形態とされている。それぞれの収容部１２はこれに収容される道具ｂに対応した大きさとなっており、これにともない各収容部１２を取り囲む隣接した一対の端縁ｄ１、ｄ１の間隔をそれぞれ異なるものとなっている。本実施例の各収容部１２は先端ｅ２が開口された状態となっているが、これに代えて、先端の閉鎖された袋状にすることも可能である。
【００３１】
収容部１２のそれぞれは、図５に示す使用状態において、対応する道具ｂを使用者の胴部の中央寄り側又は前寄り側から一側の脇部ｆ１の外寄り側の或いは後寄り側の下方へ向かうような傾斜姿勢で差し込まれる（方向ｃ３）。道具ｂの抜き出は、その差し込み時の逆方向である。
【００３２】
覆い部材４は、基礎支持面部１の上面上で道具保持部３の道具出し入れ口ｅ１を上方から覆う位置に長方形状の帆布である布状部材１４を重ねた状態に配置し、その上縁部と基礎支持面部１とを縫い合わせて形成されている。そして、この覆い部材４の下面と道具保持部３を形成した布状部材１４の上面とに雌雄の関係となる一対のファスナ部材ｇ１、ｇ２が適当な間隔を置いて複数組設けられ、これら各組のファスナ部材ｇ１、ｇ２はこれらが結合されることで覆い部材４ｇを道具出し入れ口ｅ１周辺を覆った状態に保持し、逆に分離されることで覆い部材４ｇを道具出し入れ口ｅ１周辺の上側位置から開いて道具出し入れ口ｅ１周辺を開放する。
【００３３】
袋部５はネジ部材、ワッシャ、ナットなどの小物を収容して持ち運ぶためのもので、基礎支持面体１に帆布からなる布状片を縫い合わせて形成されており、上端が開口された収容部５ａと、これの開口を閉鎖するための蓋部５ｂとからなっている。
【００３４】
１５は上端が開口された細長状の収容部で、カッタｂ３や物差しなどの細長状小物を収容しおて持ち運ぶためのものであり、帆布からなる布状片を基礎支持面体１に縫い合わせることで形成される。
【００３５】
次に道具保持具１００の使用例及び作用を説明する。
道具保持部３の各収容部１２には汎用のペンチｂ１、ラジオペンチｂ１、ニッパｂ１、プライヤｂ１、＋形或いは−形のドライバｂ２、モンキーレンチ、スパナなどの道具ｂの必要なものを１個ずつ収容する。道具ｂを収容するときは、雌雄のファスナ部材ｇ１、ｇ２を離反させて、覆い部材４を図３に示すように開放した状態で、各収容部１２に対応した個々の道具ｂをこれの先側から道具出し入れ口ｅ１を通じて方向ｃ３へ移動させて対応する収容部１２の内方に差し込み、それ以上に差し込めない位置まで押し込む。この際、長いドライバｂ２などはその先部の金属棒が先端ｅ２の開口を通じて張り出した状態となり、収容部１２の長さよりも長い道具でも収容可能である。道具ｂを収容した後は覆い部材４を閉じ位置に移動させ押さえることで、雌雄のファスナ部材ｇ１、ｇ２を結合させる。これにより各収容部１２に収容された道具ｂや各収容部１２の道具出し入れ口ｅ１は覆い部材４で覆われて、収容部１２からの意図しない脱落を阻止される。なお、カッタｂ３や物差しなどは収容部１５に差し込み、ネジ部材やワッシャやナットなどは袋部５に収容する。
【００３６】
道具保持具１００を身に付ける際には、先ず紐状部材６の先端を環状部７に挿通させた状態とし、この状態の下で図４に示すように基礎支持面体１の側縁部１ｃと、紐状部材６の基端から環状部７内に位置した部位までの長さ範囲箇所とで形成された環状箇所を使用者の頭部に遊挿させ、紐状部材６を使用者の右肩部に掛ける。
【００３７】
次に一方の手で基礎支持面体１の第１端部ａ１を持って自身の右肩部の前面箇所に位置させておき、他方の手で基礎支持面体１の第２端部ａ２を腰の左後部に位置させつつ、同じ手で紐状部材６の先部のうち環状部７内に位置した部位よりも先側の部分を持ち、これを身体の後方へ引き移動させる。これにより、基礎支持面体１は図４に示すように使用者の胴部の前面から左側の脇部ｆ１にかけて傾斜状に巻き付けられて胴部に密接した状態となる。
【００３８】
次に第１端部ａ１を持っていた一方の手を第１端部ａ１から離し、続いて、他方の手で持っている紐状部材６の先部を身体の背面側にて一方の手で受け取り、この後、他方の手で第２掛止部材１１を持ち、同時に一方の手で第１掛止部材９を持ってこれら第１掛止部材９と第２掛止部材１１とを掛け止める。この際、図３における第１掛止部材９の爪部９ａを第２掛止部材１１の係止孔１１ａに押し込む。この結果、道具保持具１００は身体係着部材２を介して、使用者の胴部に傾斜状に巻き付けられ密着した状態を安定的に保持された状態となる。
【００３９】
この状態の使用者が機器などの保守や修理などのために狭隘な場所を移動したり狭隘な場所で種々の作業を実施することがあるが。このような場合において、使用者は移動中や作業中に種々にその姿勢を変化させても、各収容部１２に収容された道具は使用者の胴部に巻き付いた状態で位置保持された状態の道具保持具１００によって、使用者の一方の脇部ｆ１及びこれの下方となる腰部の範囲に位置され、その位置を安定的に保持される。したがって、各収容部１２内の道具ｂが大きく揺れせず、道具ｂとその周りの機器などの部品とが接触したり衝突することは回避される。また各収容部１２内の道具ｂの外側に使用者の対応側の腕が必然的に存在するようになるため、使用者は意識しなくても、この腕が各収容部１２内の道具ｂと周辺の機器などの部品との間に位置して、これら道具ｂと機器などの部品との接触や衝突が防止される。
【００４０】
また使用者が作業をするとき、該作業を効率的に行うため、無意識のうちに、作業対象である部品などを自身の胴部の真正面の手の届く範囲に位置させるような体勢をとるが、このような体勢での作業において、道具ｂの収容された各収容部１２が使用者の真正面に位置せず一方の脇部ｆ１からその下方の腰部までの範囲に位置するため、各収容部１２に収容された道具ｂが使用者の作業を邪魔することは回避されて、作業が効率的に行われるようになる。
【００４１】
また各収容部１２はこれに対応する道具ｂを胴部の中央寄り側又は前寄り側から一側の脇部ｆ１の外寄り側或いは後寄り側の下方へ向かうような傾斜姿勢で保持するため、長さ方向を持つ道具ｂは、その長さを横向きとして、使用者の身長方向ｃ１（図４）での長さは小さくなる。したがって使用者が身を屈めるような動作をするときに、各収容部１２が折り込まれる状態となり、道具ｂの上下各端部が胸部や腹部に押し当たってその動作を拘束するようになる事態は効果的に回避される。
【００４２】
また覆い部材４は各収容部１２内の道具出し入れ口ｅ１を閉鎖するのみならず、収容部１２内の胴部の全体を覆うため、道具ｂの金属部が機器の部品などに直接に接触したり衝突する事態を阻止し、特に機器の部品などが活電状態であるときに道具ｂの金属部の接触によるそれらの電気的故障を防止する上で有益である。
【００４３】
さらに道具保持具１００の使用において各収容部１２に収容すべき道具ｂが多くて道具保持具１００の使用時の重量が大きくなることあるが、該重量は身体係着部材２を介して使用者の肩部で支持されるのであり、このような肩部による支持は使用者の疲労度を緩和させる上で有益である。また帆布やデニムで形成された道具保持具１００は道具ｂの重量によく耐えて損傷し難いものとなる。
【００４４】
上記の実施例は右手で道具を出し入れするのに適したものとしたが、左手で道具を出し入れするのに適したものとするときは、上記実施例品と左右対称な構造とするのであり、使用の際には上記実施例品の使用の場合と左右対称に取り扱うことで対応できる。
【符号の説明】
【００４５】
１  基礎支持面体
２  身体係着部材
３  道具保持部
４  覆い部材
６  紐状細長部材
７  環状部
８  結合部
９  第１掛止部材
１１  第２掛止部材
１２  収容部（筒状部）
１３  が布状部材
ａ１  第１端部
ａ２  第２端部
ａ３  第３端部
ｂ  道具
【図１】
0003159547.tif 000003
【図２】
0003159547.tif 000004
【図３】
0003159547.tif 000005
【図４】
0003159547.tif 000006
【図５】
0003159547.tif 000007
【手続補正書】
【提出日】平成22年3月18日(2010.3.18)
【手続補正１】
【補正対象書類名】実用新案登録請求の範囲
【補正対象項目名】請求項１
【補正方法】変更
【補正の内容】
【請求項１】
使用者胴部の前側において装着される道具保持具において、
使用者の一方の肩の位置からその下方の一方の脇の位置に至り、腹の位置を横切って他方の脇の位置に至り、前記一方の肩の位置に戻る外周縁で囲まれ、布状生地で撓曲可能に形成された基礎支持面体と、
使用者の一方の脇の位置と他方の脇の位置に対応する前記基礎支持面体の部位間、及び使用者の肩の位置と他方の脇の位置に対応する前記基礎支持面体の部位間を夫々、使用者の背を通して結び、使用者胴部の前側に前記基礎支持面体を当接させる紐状部材と、
収容された道具を使用者の一方の肩の位置からこれと反対側の一方の脇の位置に向かう斜め方向に保持し、斜め上向きに道具出し入れ口が設けられた複数の収容部であって、かつ夫々の収容部は互いが重ならないように使用者の脇の位置からその胴前側の位置に向かって前記基礎支持面体の表面上に列設されていることを特徴とする身体装着形の道具保持具。